(57)【特許請求の範囲】
【請求項１】
側壁が底板に平面視略コ字状に立設され、内部に本を収納する本体部と、
前記本体部の前記側壁のない左側に、右端が折り曲げ自在に連結された連結部と、
前記連結部の左端に折り曲げ自在に連結され、前記本体部を上方から覆って閉じる開閉自在な蓋部と、
前記蓋部の開状態において、一方の翼部が前記連結部に貼着され、他方の翼部が前記一方の翼部の右側に立設された断面略Ｌ字状のアングルと、
前記アングルの他方の翼部の先端に左端が折り曲げ自在に連結されるとともに、右端に支持壁が立設され、下面の右端が前記底板に接触する中敷きと、を備える収納ケースであって、
前記本体部の右側側壁の上部に前記本体部の一部を覆う蓋として固定され、略中央に孔部が形成された中蓋と、
右側縁部が前記中蓋の下方であって前記本体部の右側側壁の上部又は前記中蓋の下面右側に固定されるとともに、左側縁部が前記中敷きの支持壁の上部に固定されることで、前記開状態において前記中蓋の下面近傍で略水平に広げられるシート材と、を備え、
前記蓋部の閉状態では前記アングルが右方向へ回転することで前記アングルの他方の翼部が前記本体部の底板に接触するとともに、前記中敷きの支持壁の上端が前記中蓋の下方において前記本体部の右側側壁に接近して前記シート材の左右方向略中央が下がるようにしたことを特徴とする収納ケース。
【請求項２】
前記本体部の右側側壁の左面の前後方向略中央に第一凹部が形成され、
前記第一凹部の前後方向の長さは前記中蓋の孔部の前後方向の長さ以下であることを特徴とする請求項１に記載の収納ケース。
【請求項３】
前記中敷きの支持壁の右面の前後方向略中央に第二凹部が形成され、
前記第二凹部の前後方向の長さは前記中蓋の孔部の前後方向の長さ以下であることを特徴とする請求項１又は２に記載の収納ケース。
【請求項４】
前記支持壁の上端から左側に、前記中蓋の孔部の横幅よりも長く突出した目隠し板を設け、前記閉状態では前記目隠し板が前記中蓋の孔部を下方から塞ぐことを特徴とする請求項１乃至３のうちいずれか一つに記載の収納ケース。
【発明の詳細な説明】
【技術分野】
【０００１】
本発明は、内部に本等を収納する収納ケースに関するものである。
【背景技術】
【０００２】
卒業アルバムや結婚式のアルバムのような写真アルバムや高級な本は、専用の収納ケースに収納され、大切に保管される。
このような内部に本を収納する収納ケースとして、図６に示すようなものが開示されている（例えば、特許文献１，２参照）。
【０００３】
図６に記載の発明は、側壁１１が底板１２の四方を囲むように立設された本体部１３と、本体部１３の上方から覆って閉じる蓋部１５とを備えるものである。そして、本体部１３と蓋部１５とは折り曲げ自在に連結され、蓋部１５が本体部１３を覆って閉じる。
このような収納ケース１０によると、内部に本Ｂを収納することができるので、保管時に本Ｂが傷み難い。
また、本Ｂを収納ケース１０に収納して販売することで、本Ｂに高級感を出すことができるので、一般の本との差別化を図ることができる。
【０００４】
一方、収納する本Ｂのサイズは収納ケース１０の内寸と略等しいので、本Ｂと本体部１３の側壁１１との間にほとんど隙間がない。これにより、収納された本Ｂが内部でがたつかない反面、収納した本Ｂを収納ケース１０から取り出し難い。したがって、収納ケース１０をひっくり返すか、本体部１３の底面１２等に取付けられ本体部１３の外側に垂らしたリボンを引いて、収納した本Ｂを取り出さなければならず、煩わしいというという問題があった。
【０００５】
そこで、本出願人は内部に収納した本を容易に取り出すことができる収納ケース２０について特許出願を行った（特許文献３参照）。
この収納ケース２０によると、図７に示すように蓋部２５を開けたときにアングル２６を左方向に回転して、中敷き２８を斜め左上方にせり出すようにしたので、左右の幅が中敷き２８の左右の幅よりも広い本を中敷き２８に上載した場合には、本に凸部２７が当接して中敷き２８とともに本がせり出し、しかも中敷き２８の左端から本が突出する。よって、その本の突出した部位の下には空間が生じるので、ユーザは本を上下から把持することができ、収納した本を容易に取り出すことができる。
【先行技術文献】
【特許文献】
【０００６】
【特許文献１】特開２００５−１７８３４３号公報
【特許文献２】特開２０００−１５９５５号公報
【特許文献３】特許第５２０４８１２号公報
【発明の概要】
【発明が解決しようとする課題】
【０００７】
ここで、近年では写真アルバム等にＵＳＢメモリ等の付属小物がセットになることが多くなってきているが、両者は関連するものであるにもかかわらず別々の収納ケースに入れられることがほとんどであり、不便である。
本とそれらの付属小物を一つの収納ケースに収納する場合もあるが、単純に収納ケースの内部を二つに分けるだけなので、面白味や高級感に欠けるという問題もある。
【０００８】
そこで、本発明の目的とするところは、本と小付属物を一緒に収納できるとともに、面白味や高級感を有する収納ケースを提供することにある。
【課題を解決するための手段】
【０００９】
上記の目的を達成するために、本発明の請求項１に記載の収納ケース（３０）は、側壁（２１）が底板（１２）に平面視略コ字状に立設され、内部に本（Ｂ）を収納する本体部（２３）と、前記本体部（２３）の前記側壁（２１）のない左側に、右端（２４ａ）が折り曲げ自在に連結された連結部（２４）と、前記連結部（２４）の左端（２４ｂ）に折り曲げ自在に連結され、前記本体部（２３）を上方から覆って閉じる開閉自在な蓋部（２５）と、前記蓋部（２５）の開状態において、一方の翼部（２６ａ）が前記連結部（２４）に貼着され、他方の翼部（２６ｂ）が前記一方の翼部（２６ａ）の右側に立設された断面略Ｌ字状のアングル（２６）と、前記アングル（２６）の他方の翼部（２６ｂ）の先端に左端（２８ｂ）が折り曲げ自在に連結されるとともに、右端（２８ａ）に支持壁（２７）が立設され、下面の右端（２８ａ）が前記底板（１２）に接触する中敷き（２８）と、を備える収納ケース（３０）であって、前記本体部（２３）の右側側壁（２１）の上部に前記本体部（２３）の一部を覆う蓋として固定され、略中央に孔部（４３ａ）が形成された中蓋（４３）と、右側縁部が前記中蓋（４３）の下方であって前記本体部（２３）の右側側壁（２１）の上部又は前記中蓋（４３）の下面右側に固定されるとともに、左側縁部が前記中敷き（２８）の支持壁（２７）の上部に固定されることで、前記開状態において前記中蓋（４３）の下面近傍で略水平に広げられるシート材（４５）と、を備え、前記蓋部（２５）の閉状態では前記アングル（２６）が右方向へ回転することで前記アングル（２６）の他方の翼部（２６ｂ）が前記本体部（２３）の底板（１２）に接触するとともに、前記中敷き（２８）の支持壁（２７）の上端が前記中蓋（４３）の下方において前記本体部（２３）の右側側壁（２１）に接近して前記シート材（４５）の左右方向略中央が下がるようにしたことを特徴とする。
【００１０】
また、請求項２に記載の収納ケース（３０）は、前記本体部（２３）の右側側壁（２１）の左面の前後方向略中央に第一凹部（２１ａ）が形成され、前記第一凹部（２１ａ）の前後方向の長さは前記中蓋（４３）の孔部（４３ａ）の前後方向の長さ以下であることを特徴とする。
【００１１】
また、請求項３に記載の収納ケース（３０）は、前記中敷き（２８）の支持壁（２７）の右面の前後方向略中央に第二凹部（２７ａ）が形成され、前記第二凹部（２７ａ）の前後方向の長さは前記中蓋（４３）の孔部（４３ａ）の前後方向の長さ以下であることを特徴とする。
【００１２】
また、請求項４に記載の収納ケース（３０）は、前記支持壁（２７）の上端から左側に、前記中蓋（４３）の孔部（４３ａ）の横幅よりも長く突出した目隠し板（４４）を設け、前記閉状態では前記目隠し板（４４）が前記中蓋（４３）の孔部（４３ａ）を下方から塞ぐことを特徴とする。
【００１３】
ここで、上記括弧内の記号は、図面および後述する発明を実施するための形態に掲載された対応要素または対応事項を示す。
【発明の効果】
【００１４】
本発明の請求項１に記載の収納ケースによれば、右側縁部が前記中蓋の下方であって前記本体部の右側側壁の上部又は前記中蓋の下面右側に固定されるとともに、左側縁部が前記中敷きの支持壁の上部に固定されることで、前記開状態において前記中蓋の下面近傍で略水平に広げられる可撓性のシート材を備え、蓋部の閉状態ではアングルが右方向へ回転することでアングルの他方の翼部が本体部の底板に接触するとともに、中敷きの支持壁の上端が中蓋の下方において本体部の右側側壁に接近してシート材が自重で撓むようにしたので、開状態のときに付属小物をシート材に載置しておくと、閉状態では付属小物を中蓋の下方に収納可能であり、本と付属小物を一つの収納ケースに一緒に収納できる。
また、閉状態ではその付属小物は中蓋の下方でシート材に包まれるので、面白味や高級感があり、単純な収納ケースと差別化可能である。
【００１５】
また、請求項２に記載の収納ケースによれば、請求項１に記載の発明の作用効果に加え、本体部の右側側壁の左面の前後方向略中央に第一凹部が形成され、第一凹部の前後方向の長さは中蓋の孔部の前後方向の長さ以下であるので、閉状態のときに付属小物が第一凹部に入り、前後方向の移動が制限される。これにより、付属小物が中蓋の孔部の下方に位置するので、再び開状態にしたときに確実に孔部から現れる。
【００１６】
また、請求項３に記載の収納ケースによれば、請求項２に記載の発明の作用効果とどうようで、中敷きの支持壁の右面の前後方向略中央に第二凹部が形成され、第二凹部の前後方向の長さは中蓋の孔部の前後方向の長さ以下であるので、開状態にしたときに付属小物が確実に孔部から現れる。
【００１７】
また、請求項４に記載の収納ケースによれば、請求項１乃至３に記載の発明の作用効果に加え、支持壁の上端から左側に、中蓋の孔部の横幅よりも長く突出した目隠し板を設け、閉状態では目隠し板が中蓋の孔部を下方から塞ぐので、閉状態になるとき孔部から本や中敷きが見えない。
【００１８】
なお、本発明の収納ケースのように、開状態ではシート材が略水平に広げられ、閉状態ではシート材が自重で撓むようにする点は、上述した特許文献１乃至３には全く記載されていない。
【図面の簡単な説明】
【００１９】
【図１】本発明の実施形態に係る収納ケースを示す斜視図である。
【図２】図１に示す収納ケースの開状態における断面図である。
【図３】図１に示す収納ケースの閉状態における断面図である。
【図４】図３の要部拡大断面図である。
【図５】本発明の他の実施形態に係る収納ケースを示す斜視図である。
【図６】従来例に係る収納ケースを示す斜視図である。
【図７】従来例に係る収納ケースを示す斜視図である。
【発明を実施するための形態】
【００２０】
図１乃至図４を参照して、本発明の実施形態に係る収納ケースを説明する。
この収納ケースは、本体部と、連結部と、蓋部と、アングルと、中敷きと、中蓋と、シート材と、を備える。
従来例で示したものと同一部分には同一符号を付した。
【００２１】
本体部２３は、内部に本Ｂを収納するものであって、側壁２１が底板２２に平面略コ字状に立設されている。三つの側壁２１の高さはそれぞれ等しく、収容する本Ｂの厚さよりも高い。なお、四方のうち底板２２の左側に側壁２１が立設されない。
また、底板２２の下面には、底板２２よりも一回り大きい外装体３３が貼着されており、外装体３３の下面が化粧面である。
【００２２】
本体部２３の右側側壁２１の左面の前後方向略中央には第一凹部２１ａが形成されている。第一凹部２１ａの前後方向の長さは中蓋４３の孔部４３ａの前後方向の長さ以下である。
この第一凹部２１ａは、側壁を凹ませて形成されていてもよいし、側壁２１に他の部材を取付けて相対的に凹ませてもよい。
【００２３】
連結部２４は、本体部２３の側壁２１のない左側に連結部２４の右端２４ａが折り曲げ自在に連結され、本体部２３と蓋部２５とを連結するものである。本体部２３の外装体３３と連結部２４との連結部分は、表側と裏側の両方から前後方向に凹溝３４が形成されており、その凹溝３４において本体部２３と連結部２４が折り曲げ自在となっている。
また、連結部２４の下面が化粧面である。
【００２４】
蓋部２５は、連結部２４の左端２４ｂに折り曲げ自在に連結され、本体部２３を上方から覆って閉じるものである。蓋部２５は後述する中蓋４３とは異なり、開閉自在である。
また、蓋部２５にも側壁３５が天板３６に平面略コ字状に立設されており、四方のうち蓋部２５の右側には側壁３５が存在しない。蓋部２５の三つの側壁３５の高さはそれぞれ等しく、本体部２３の側壁２１の高さよりも若干高い。
【００２５】
天板３６の下面（開状態における下面）には、天板３６よりも一回り大きい外装体３７が貼着されており、外装体３７の下面が化粧面となっている。
なお、蓋部２５の外装体３７の大きさは本体部２３の外装体３３の大きさと等しい。
蓋部２５の外装体３７と連結部２４の連結部分も、表側と裏側の両方から前後方向に凹溝３８が形成されており、その凹溝３８において蓋部２５と連結部２４が折り曲げ自在となっている。
そして、蓋部２５を閉じたときには、蓋部２５の側壁３５はそれぞれ本体部２３の側壁２１よりも外側に位置する。
【００２６】
アングル２６は、図１及び図２に示すように、蓋部２５の開状態において、一方の翼部２６ａが連結部２４の上面に貼着され、他方の翼部２６ｂが一方の翼部２６ａの右側に立設された断面略Ｌ字状である。つまり、アングル２６の一方の翼部２６ａと他方の翼部２６ｂとのなす角は略９０度となっている。
よって、図３に示すように、蓋部２５の閉状態においては、連結部２４が鉛直状態になることに伴って、アングル２６の他方の翼部２６ｂは中敷き２８と平行になるとともに本体部２３の底板２２に接触し、一方の翼部２６ａが鉛直に延びる。
ここで、アングル２６の前後の長さは、本体部２３の前後の壁面間の距離より短い。
【００２７】
中敷き２８は、アングル２６の他方の翼部２６ｂの先端に左端が折り曲げ自在に連結されるとともに、右端に支持壁２７が立設されており、中敷き２８の下面の右端が底板２２に接触する。
支持壁２７は中敷き２８に対して略垂直となっている。
また、支持壁２７の上端から左側に、後述する中蓋４３の孔部４３ａの横幅よりも長く突出した目隠し板４４を設けた。
【００２８】
中敷き２８の支持壁２７の右面の前後方向略中央には第二凹部２７ａが形成されている。第二凹部２７ａの前後方向の長さは中蓋４３の孔部４３ａの前後方向の長さ以下である。
この第二凹部２７ａも第一凹部２１ａと同様に、支持壁２７を凹ませて形成されていてもよいし、支持壁２７に他の部材を取付けて相対的に凹ませてもよい。
【００２９】
中蓋４３は、薄板であって、本体部２３の右側側壁２１の上部、上側側壁２１の右端上部、及び下側側壁２１の右端上部に本体部２３の一部を覆う蓋として固定されている。
そして、略中央には、前後方向に延びる孔部４３ａが形成されている。
蓋部２５の開状態、閉状態に限らず、中敷き２８の支持壁２７や目隠し板４４は常に中蓋４３の下面よりも下方に位置する高さ位置になっている。最も好ましいのは、中敷き２８の支持壁２７や目隠し板４４が中蓋４３の下面に触れるか触れないか程度の高さ関係である。
【００３０】
シート材４５は、布体であり、自重で撓む程度の可撓性を有する。
シート材４５の右側縁部は、中蓋４３の下方であって本体部２３の右側側壁２１の上部と中蓋４３の右端に挟まれて固定されている。
一方、シート材４５の左側縁部は中敷き２８の支持壁２７の上部に固定されており、図２に示すように開状態においては中蓋４３の下面近傍で略水平にピンと張った状態（張設状態）で広げられている。
【００３１】
次に、このように構成された収納ケースの開閉動作について説明する。
図１及び図２に示すような開状態のときに、中敷き２８に本Ｂを上載し、中敷き２８の支持壁２７に当接させておく。
また、張設状態のシート材４５に付属小物Ｋを上載する。この付属小物Ｋが置かれる位置は、中蓋４３の孔部４３ａを下方から塞いでいるシート材４５の部位である。
【００３２】
なお、シート材４５によって下方から孔部４３ａを塞ぐとしたが、これは孔部４３ａ縁部とシート材４５との隙間が無い状態に限られるものではなく、中蓋４３を見たときに、広げられたシート材４５が上方から見える程度でよい。
【００３３】
そして、図３及び図４に示す閉状態まで遷移させて、蓋部２５を本体部２３に被せるように上方から覆って閉じる。
このとき、蓋部２５の移動に伴って連結部２４が、連結部２４と本体部２３との連結部分３４を回転の中心として回転して、アングル２６を右方向に回転して（正面視で時計回り）、アングル２６の他方の翼部２６ｂが鉛直状態となる。
【００３４】
この閉状態ではアングルが右方向へ回転することでアングルの他方の翼部２６ｂが本体部２３の底板２２に接触するとともに、中敷き２８の支持壁２７の上端が中蓋４３の下方において本体部の右側側壁２１に接近してシート材４５が自重で撓む。
閉状態において、本体部の右側側壁に対して中敷き２８の支持壁２７が押圧するほどには支持壁２７は本体部の右側側壁に接近するものではない。
【００３５】
そしてこれに伴い、付属小物Ｋがシート材４５に包まれるようにして下方へ移動するとともに、中蓋４３の孔部４３ａを目隠し板４４が下方から塞ぐことになる。
このとき、付属小物Ｋはシート材４５に包まれた状態で第一凹部２１ａ間及び第二凹部２７ａ間に存在する。
【００３６】
一方、閉状態から開状態にするときにはこれとは逆の動きになる。
つまり、閉状態から開状態への遷移中に、それまで見えていなかった付属小物Ｋが中蓋４３の孔部４３ａから現れる。
【００３７】
以上のように構成された収納ケースによれば、右側縁部が前記中蓋４３の下方であって前記本体部の右側側壁の上部又は前記中蓋４３の下面右側に固定されるとともに、左側縁部が前記中敷き２８の支持壁２７の上部に固定されることで、前記開状態において前記中蓋４３の下面近傍で略水平に広げられる可撓性のシート材４５を備え、蓋部の閉状態ではアングルが右方向へ回転することでアングルの他方の翼部が本体部の底板に接触するとともに、中敷き２８の支持壁２７の上端が中蓋４３の下方において本体部の右側側壁に接近してシート材４５が自重で撓むようにしたので、開状態のときに付属小物Ｋをシート材４５に載置しておくと、閉状態では付属小物Ｋを中蓋４３の下方に収納可能であり、本と付属小物Ｋを一つの収納ケースに一緒に収納できる。
また、閉状態ではその付属小物Ｋは中蓋４３の下方でシート材４５に包まれるので、面白味や高級感があり、単純な収納ケースと差別化可能である。
【００３８】
また、第一凹部２１ａ及び第二凹部２７ａが形成され、第一凹部２１ａや第二凹部２７ａの前後方向の長さは中蓋４３の孔部４３ａの前後方向の長さ以下であるので、閉状態のときに付属小物Ｋが第一凹部２１ａや第二凹部２７ａに入り、前後方向の移動が制限される。これにより、付属小物Ｋが中蓋４３の孔部４３ａの下方に位置するので、再び開状態にしたときに確実に孔部４３ａから現れる。
【００３９】
さらに、支持壁２７の上端から左側に、中蓋４３の孔部４３ａの横幅よりも長く突出した目隠し板４４を設け、閉状態では目隠し板４４が中蓋４３の孔部４３ａを下方から塞ぐので、閉状態になるとき孔部４３ａから本や中敷き２８が見えない。
【００４０】
なお、本実施形態において、第一凹部２１ａや第二凹部２７ａを形成したが、これに限られるものではなく、どちらか一方、もしくはいずれも無くてもよい。
【００４１】
また、目隠し板４４があることが望ましいが、必須ではない。
また、シート材が自重で撓むとしたが、シート材の左右方向略中央が垂れ下がる、突出する、折れ曲がる等して下がるものは全て含まれる。
【００４２】
さらに、開状態においてシート材４５が張設状態になるものに限られず、開状態で上方から付属小物Ｋを取り出せる程度に撓んでいてもよい。
【００４３】
また、蓋部２５は実施形態のものに限られず、例えば図５に示すようにベルト４０で閉状態を固定してもよい。
【符号の説明】
【００４４】
１０      収納ケース
１１      側壁
１２      底板
１３      本体部
１５      蓋部
２０      収納ケース
２１      側壁
２１ａ    第一凹部
２２      底板
２３      本体部
２４      連結部
２４ａ    右端
２４ｂ    左端
２５      蓋部
２６      アングル
２６ａ    一方の翼部
２６ｂ    他方の翼部
２７      支持壁
２７ａ    第二凹部
２８      中敷き
２８ａ    右端
２８ｂ    左端
３０      収納ケース
３２      摺動層
３３      外装体
３４      凹溝
３５      側壁
３６      天板
３７      外装体
３８      凹溝
４０      ベルト
４１      摺動層
４３      中蓋
４３ａ    孔部
４４      目隠し板
４５      シート材
Ｂ      本
Ｋ      付属小物
【図１】
0006453270.tif 000002
【図２】
0006453270.tif 000003
【図３】
0006453270.tif 000004
【図４】
0006453270.tif 000005
【図５】
0006453270.tif 000006
【図６】
0006453270.tif 000007
【図７】
0006453270.tif 000008